【手続補正書】
【提出日】平成16年9月3日(2004.9.3)
【手続補正１】
【補正対象書類名】明細書
【補正対象項目名】特許請求の範囲
【補正方法】変更
【補正の内容】
【特許請求の範囲】
【請求項１】
外部情報処理装置に接続して使用可能な撮像装置であって、
対象物を撮影し、画像信号を出力する撮像手段と、
前記画像信号に所定の信号処理を施す信号処理手段と、
複数の通信速度で前記情報処理装置と通信を行うための通信手段と、
前記通信手段の通信速度が速い場合には、前記信号処理手段により画像信号を信号処理せずに送信し、遅い場合には、前記信号処理手段により画像信号を信号処理した後に送信するように制御する制御手段と
を有することを特徴とする撮像装置。
【請求項２】
前記制御手段は、前記通信速度が速い場合に、前記信号処理手段をバイパスした画像信号を送信するように制御することを特徴とする請求項１に記載の撮像装置。
【請求項３】
外部情報処理装置に接続して使用可能な撮像装置であって、
対象物を撮影し、画像信号を出力する撮像手段と、
前記画像信号に所定の信号処理を施す信号処理手段と、
複数の通信速度で前記情報処理装置と通信を行うための通信手段と、
前記通信手段の通信速度が速い場合には、前記撮像手段を高速に駆動し、遅い場合には、前記撮像手段を低速に駆動するように制御する制御手段と
を有することを特徴とする撮像装置。
【請求項４】
外部情報処理装置に接続して使用可能な撮像装置であって、
対象物を撮影し、画像信号を出力する撮像手段と、
前記画像信号に所定の信号処理を施す信号処理手段と、
アクセス速度の速い第１の記憶手段と、アクセス速度の遅い第２の記憶手段とからなる、前記画像信号を一時的に格納するための記憶手段と、
複数の通信速度で前記情報処理装置と通信を行うための通信手段と、
前記画像信号を前記通信手段に出力するために、前記通信手段の通信速度が速い時は第１の記憶手段のみ使用し、通信速度が遅い時は第２の記憶手段を使用するように制御する制御手段と
を有することを特徴とする撮像装置。
【請求項５】
前記通信手段の通信速度を検知する検知手段を更に有することを特徴とする請求項１乃至４のいずれかに記載の撮像装置。
【請求項６】
前記通信手段の通信速度を手動で切り換える切り換え手段を更に有することを特徴とする請求項１乃至５のいずれかに記載の撮像装置。
【請求項７】
前記撮像手段を副走査方向に移動させる移動制御手段を更に有し、
前記制御手段は、前記通信手段の通信速度に応じて、前記移動制御手段による撮像手段の移動速度を切り換えることを特徴とする請求項１乃至６のいずれかに記載の撮像装置。
【請求項８】
前記通信速度は少なくとも２段階に区分され、前記制御手段は、前記通信手段の通信速度が速い場合には、前記移動制御手段による移動速度を第１の速度となるように制御し、遅い場合には、移動速度を第１の速度よりも遅い第２の速度となるように制御することを特徴とする請求項７に記載の撮像装置。
【請求項９】
前記通信速度は少なくとも２段階に区分され、前記制御手段は、前記通信手段の通信速度が速い場合には、前記移動制御手段による移動速度を第１の速度となるように制御し、通信速度が遅く、且つ、解像度が高い場合には、移動速度を第１の速度よりも遅い第２の速度となるように制御することを特徴とする請求項７に記載の撮像装置。
【請求項１０】
前記制御手段は、前記通信手段の通信速度に関わらず、プレ撮影中は前記移動制御手段による撮像手段の移動速度を第１の速度となるように制御することを特徴とする請求項８または９に記載の撮像装置。
【請求項１１】
前記制御手段は、前記通信手段の通信速度に関わらず、前記撮像手段をホームポジションに戻す間は前記移動制御手段による撮像手段の移動速度を第１の速度となるように制御することを特徴とする請求項８乃至１０のいずれかに記載の撮像装置。
【請求項１２】
前記移動制御手段は駆動源の制御手段と前記駆動源の駆動力の伝達機構の制御手段を有し、前記通信手段の通信速度が早い場合には、前記伝達機構を第１の減速比となるように制御し、通信速度が遅い場合には、前記伝達機構を前記第１の減速比よりも遅い速度で前記撮像手段を移動させるような第２の減速比となるように制御することを特徴とする請求項７に記載の撮像装置。
【請求項１３】
前記移動制御手段は駆動源の制御手段と前記駆動源の駆動力の伝達機構の制御手段を有し、前記通信手段の通信速度が早い場合には、前記伝達機構を第１の減速比となるように制御し、通信速度が遅く、且つ、解像度が高い場合には、前記伝達機構を前記第１の減速比よりも遅い速度で前記撮像手段を移動させるような第２の減速比となるように制御することを特徴とする請求項７記載の撮像装置。
【請求項１４】
前記移動制御手段は、前記通信手段の通信速度に関わらず、プレ撮影中は前記伝達機構を前記第１の減速比となるように制御することを特徴とする請求項１２または１３記載の撮像装置。
【請求項１５】
前記移動制御手段は、前記通信手段の通信速度に関わらず、前記撮像手段をホームポジションに戻す間は前記伝達機構を前記第１の減速比となるように制御することを特徴とする請求項１２乃至１４のいずれかに記載の撮像装置。
【請求項１６】
前記信号処理手段による信号処理は、シェーディング補正、ガンマ補正、変倍処理の少なくとも１つを含むことを特徴とする請求項１乃至１５のいずれかに記載の撮像装置。
【請求項１７】
前記制御手段は、前記通信手段の通信速度に応じて前記撮像手段の駆動速度を変更することを特徴とする請求項１または４に記載の撮像装置。
【請求項１８】
外部情報処理装置に接続して使用可能な撮像装置であって、
対象物を撮影し、画像信号を出力する撮像手段と、
複数の通信速度で前記情報処理装置と通信を行うための通信手段と、
前記通信手段の通信速度が遅い場合には、供給モードとして省電力モードを選択するように制御する制御手段と
を備えることを特徴とする撮像装置。
【請求項１９】
前記撮像手段は撮像の際に対象物を照明する照明手段を備え、前記省電力モードでは、他のモードに比べて、前記照明手段を駆動する電力が抑えられることを特徴とする請求項１８に記載の撮像装置。
【請求項２０】
前記撮像手段は撮像の際に対象物を照明する照明手段及び光電変換素子を備え、前記省電力モードでは、他のモードに比べて、前記照明手段を駆動する電力が抑えられると共に前記光電変換素子による撮像時間が長くされることを特徴とする請求項１８に記載の撮像装置。
【請求項２１】
前記対象物は原稿であって、撮像の際に該原稿を搬送する搬送手段を更に備え、前記省電力モードでは、他のモードに比べて、前記搬送手段による原稿の搬送スピードが抑えられることを特徴とする請求項１８乃至２０のいずれかに記載の撮像装置。
【請求項２２】
前記省電力モードでは、他のモードに比べて、前記撮像手段を駆動する電力が抑えられることを特徴とする請求項１８乃至２１のいずれかに記載の撮像装置。
【請求項２３】
前記省電力モードでは、他のモードに比べて、前記撮像手段の走査スピードが抑えられることを特徴とする請求項１８乃至２２のいずれかに記載の撮像装置。
【請求項２４】
対象物を撮影し、画像信号を出力する撮像手段と、前記画像信号に所定の信号処理を施す信号処理手段と、複数の通信速度で通信を行うための通信手段とを有する撮像装置の制御方法であって、
前記通信手段の通信速度を検知する検知工程と、
前記検知工程で検知された通信速度が速い場合には、前記信号処理手段により画像信号を信号処理せずに送信するように制御し、遅い場合には、前記信号処理手段により画像信号を信号処理した後に送信するように制御する制御工程と
を有することを特徴とする制御方法。
【請求項２５】
前記制御工程では、前記通信速度が速い場合に、前記信号処理手段をバイパスした画像信号を送信するように制御することを特徴とする請求項２４に記載の制御方法。
【請求項２６】
対象物を撮影し、画像信号を出力する撮像手段と、前記画像信号に所定の信号処理を施す信号処理手段と、複数の通信速度で通信を行うための通信手段とを有する撮像装置の制御方法であって、
前記通信手段の通信速度を検知する検知工程と、
前記検知工程で検知された通信速度が速い場合には、前記撮像手段を高速に駆動し、遅い場合には、前記撮像手段を低速に駆動するように制御する制御工程と
を有することを特徴とする制御方法。
【請求項２７】
対象物を撮影し、画像信号を出力する撮像手段と、前記画像信号に所定の信号処理を施す信号処理手段と、アクセス速度の速い第１の記憶手段と、アクセス速度の遅い第２の記憶手段とからなる前記画像信号を一時的に格納するための記憶手段と、複数の通信速度で通信を行うための通信手段とを有する撮像装置の制御方法であって、
前記通信手段の通信速度を検知する検知工程と、
前記画像信号を前記通信手段に出力するために、前記検知工程で検知された通信速度が速い時は第１の記憶手段のみ使用し、通信速度が遅い時は第２の記憶手段を使用するように制御する制御手段と
を有することを特徴とする制御方法。
【請求項２８】
前記通信手段の通信速度を手動で切り換える切り換え工程を更に有することを特徴とする請求項２４乃至２７のいずれかに記載の制御方法。
【請求項２９】
前記撮像装置は前記撮像手段を副走査方向に移動させる移動制御手段を更に有し、
前記通信手段の通信速度に応じて、前記移動制御手段による撮像手段の移動速度を切り換える移動速度切り換え工程を更に有することを特徴とする請求項２４乃至２８のいずれかに記載の制御方法。
【請求項３０】
前記移動速度切り換え工程では、前記通信手段の通信速度が速い場合には、前記移動制御手段による移動速度を第１の速度となるように制御し、遅い場合には、移動速度を第１の速度よりも遅い第２の速度となるように制御することを特徴とする請求項２９に記載の制御方法。
【請求項３１】
前記移動速度切り換え工程では、前記通信手段の通信速度が速い場合には、前記移動制御手段による撮像手段の移動速度を第１の速度となるように制御し、通信速度が遅く、且つ、解像度が高い場合には、撮像手段の移動速度を第１の速度よりも遅い第２の速度となるように制御することを特徴とする請求項２９に記載の制御方法。
【請求項３２】
前記移動速度切り換え工程では、前記通信手段の通信速度に関わらず、プレ撮影中は前記移動制御手段による撮像手段の移動速度を第１の速度となるように制御することを特徴とする請求項３０又は３１に記載の制御方法。
【請求項３３】
前記移動速度切り換え工程では、前記通信手段の通信速度に関わらず、前記撮像手段をホームポジションに戻す間は前記移動制御手段による撮像手段の移動速度を第１の速度となるように制御することを特徴とする請求項３０乃至３２のいずれかに記載の制御方法。
【請求項３４】
前記信号処理手段による信号処理は、シェーディング補正、ガンマ補正、変倍処理の少なくとも１つを含むことを特徴とする請求項２４乃至３３のいずれかに記載の制御方法。
【請求項３５】
前記制御工程では、前記通信手段の通信速度に応じて前記撮像手段の駆動速度を変更することを特徴とする請求項２４または２７に記載の制御方法。
【請求項３６】
対象物を撮影し、画像信号を出力する撮像手段と、複数の通信速度で通信を行うための通信手段と、電力の供給モードを切り換えるモード切替手段とを有する撮像装置の制御方法であって、
前記通信手段の通信速度を検知する検知工程と、
前記検知工程で検知された通信速度が遅い場合には、供給モードとして省電力モードを選択するように制御する制御工程と
を備えることを特徴とする制御方法。
【請求項３７】
前記撮像手段は撮像の際に対象物を照明する照明手段を備え、前記省電力モードでは、前記制御工程では、他のモードに比べて、前記照明手段を駆動する電力を抑えるように制御することを特徴とする請求項３６に記載の制御方法。
【請求項３８】
前記撮像手段は撮像の際に対象物を照明する照明手段及び光電変換素子を備え、前記省電力モードでは、前記制御工程では、他のモードに比べて、前記照明手段を駆動する電力を抑えると共に前記光電変換素子による撮像時間を長くするように制御することを特徴とする請求項３６に記載の制御方法。
【請求項３９】
前記対象物は原稿であって、撮像の際に該原稿を搬送する搬送手段を更に備え、前記省電力モードでは、前記制御工程では、他のモードに比べて、前記搬送手段による原稿の搬送スピードを抑えるように制御することを特徴とする請求項３６乃至３８のいずれかに記載の制御方法。
【請求項４０】
前記省電力モードでは、前記制御工程では、他のモードに比べて、前記撮像手段を駆動する電力を抑えるように制御することを特徴とする請求項３６乃至３９のいずれかに記載の制御方法。
【請求項４１】
前記省電力モードでは、前記制御工程では、他のモードに比べて、前記撮像手段の走査スピードを抑えるように制御することを特徴とする請求項３６乃至４０のいずれかに記載の制御方法。
【請求項４２】
請求項２４乃至４１のいずれかに記載の制御方法を実現するためのプログラムコードを有する情報処理装置が実行可能なプログラム。
【請求項４３】
請求項４２に記載のプログラムを記憶した記憶媒体。
【手続補正２】
【補正対象書類名】明細書
【補正対象項目名】００１７
【補正方法】変更
【補正の内容】
【００１７】
【課題を解決するための手段】
上記目的を達成するために、外部情報処理装置に接続して使用可能な本発明の撮像装置は、対象物を撮影し、画像信号を出力する撮像手段と、前記画像信号に所定の信号処理を施す信号処理手段と、複数の通信速度で前記情報処理装置と通信を行うための通信手段と、前記通信手段の通信速度が速い場合には、前記信号処理手段により画像信号を信号処理せずに送信し、遅い場合には、前記信号処理手段により画像信号を信号処理した後に送信するように制御する制御手段とを有する。
【手続補正３】
【補正対象書類名】明細書
【補正対象項目名】００１８
【補正方法】変更
【補正の内容】
【００１８】
また、本発明の好適な別の一様態によれば、外部情報処理装置に接続して使用可能な本発明の撮像装置は、対象物を撮影し、画像信号を出力する撮像手段と、前記画像信号に所定の信号処理を施す信号処理手段と、複数の通信速度で前記情報処理装置と通信を行うための通信手段と、前記通信手段の通信速度が速い場合には、前記撮像手段を高速に駆動し、遅い場合には、前記撮像手段を低速に駆動するように制御する制御手段とを有する。
【手続補正４】
【補正対象書類名】明細書
【補正対象項目名】００１９
【補正方法】変更
【補正の内容】
【００１９】
また、本発明の好適な別の一様態によれば、外部情報処理装置に接続して使用可能な本発明の撮像装置は、対象物を撮影し、画像信号を出力する撮像手段と、前記画像信号に所定の信号処理を施す信号処理手段と、アクセス速度の速い第１の記憶手段と、アクセス速度の遅い第２の記憶手段とからなる、前記画像信号を一時的に格納するための記憶手段と、複数の通信速度で前記情報処理装置と通信を行うための通信手段と、前記画像信号を前記通信手段に出力するために、前記通信手段の通信速度が速い時は第１の記憶手段のみ使用し、通信速度が遅い時は第２の記憶手段を使用するように制御する制御手段とを有する。
【手続補正５】
【補正対象書類名】明細書
【補正対象項目名】００２０
【補正方法】変更
【補正の内容】
【００２０】
また、本発明の好適な別の一様態によれば、外部情報処理装置に接続して使用可能な本発明の撮像装置は、対象物を撮影し、画像信号を出力する撮像手段と、複数の通信速度で前記情報処理装置と通信を行うための通信手段と、前記通信手段の通信速度が遅い場合には、供給モードとして省電力モードを選択するように制御する制御手段とを備える。
【手続補正６】
【補正対象書類名】明細書
【補正対象項目名】００２１
【補正方法】削除
【補正の内容】
【手続補正７】
【補正対象書類名】明細書
【補正対象項目名】００２２
【補正方法】削除
【補正の内容】
【手続補正８】
【補正対象書類名】明細書
【補正対象項目名】００２３
【補正方法】削除
【補正の内容】
【手続補正９】
【補正対象書類名】明細書
【補正対象項目名】００２４
【補正方法】削除
【補正の内容】
【手続補正１０】
【補正対象書類名】明細書
【補正対象項目名】００２５
【補正方法】変更
【補正の内容】
【００２５】
また、対象物を撮影し、画像信号を出力する撮像手段と、前記画像信号に所定の信号処理を施す信号処理手段と、複数の通信速度で通信を行うための通信手段とを有する撮像装置の本発明の制御方法は、前記通信手段の通信速度を検知する検知工程と、前記検知工程で検知された通信速度が速い場合には、前記信号処理手段により画像信号を信号処理せずに送信するように制御し、遅い場合には、前記信号処理手段により画像信号を信号処理した後に送信するように制御する制御工程とを有する。
【手続補正１１】
【補正対象書類名】明細書
【補正対象項目名】００２６
【補正方法】変更
【補正の内容】
【００２６】
また、本発明の好適な別の一様態によれば、対対象物を撮影し、画像信号を出力する撮像手段と、前記画像信号に所定の信号処理を施す信号処理手段と、複数の通信速度で通信を行うための通信手段とを有する撮像装置の本発明の制御方法は、前記通信手段の通信速度を検知する検知工程と、前記検知工程で検知された通信速度が速い場合には、前記撮像手段を高速に駆動し、遅い場合には、前記撮像手段を低速に駆動するように制御する制御工程とを有する。
【手続補正１２】
【補正対象書類名】明細書
【補正対象項目名】００２７
【補正方法】変更
【補正の内容】
【００２７】
また、本発明の好適な別の一様態によれば、対象物を撮影し、画像信号を出力する撮像手段と、前記画像信号に所定の信号処理を施す信号処理手段と、アクセス速度の速い第１の記憶手段と、アクセス速度の遅い第２の記憶手段とからなる前記画像信号を一時的に格納するための記憶手段と、複数の通信速度で通信を行うための通信手段とを有する撮像装置の本発明の制御方法は、前記通信手段の通信速度を検知する検知工程と、前記画像信号を前記通信手段に出力するために、前記検知工程で検知された通信速度が速い時は第１の記憶手段のみ使用し、通信速度が遅い時は第２の記憶手段を使用するように制御する制御手段とを有する。
【手続補正１３】
【補正対象書類名】明細書
【補正対象項目名】００２８
【補正方法】変更
【補正の内容】
【００２８】
また、本発明の好適な別の一様態によれば、対象物を撮影し、画像信号を出力する撮像手段と、複数の通信速度で通信を行うための通信手段と、電力の供給モードを切り換えるモード切替手段とを有する撮像装置の制御方法であって、前記通信手段の通信速度を検知する検知工程と、前記検知工程で検知された通信速度が遅い場合には、供給モードとして省電力モードを選択するように制御する制御工程とを備える。